【手続補正書】
【提出日】平成20年8月27日(2008.8.27)
【手続補正１】
【補正対象書類名】明細書
【補正対象項目名】特許請求の範囲
【補正方法】変更
【補正の内容】
【特許請求の範囲】
【請求項１】  情報を表示する表示装置と、
番組の識別子である番組ＩＤと、放送局のチャンネル番号と、放送予定日と、放送予定時間帯と、前記番組に関連する情報と、詳細情報と、を記憶する番組情報記憶手段と、
前記番組の放送局のチャンネル番号、放送予定日および放送予定時間帯に基づいて、前記番組の情報を表示する複数のセルを円筒状に配列するための位置を決定して、前記複数のセルを前記表示装置に表示する作成手段と、
前記複数のセルのうちの少なくとも一つのセルに関連する番組の前記詳細情報を、円筒状の前記複数のセルを取り囲むように、当該セルから３次元的に投影したように前記表示装置に表示する投影手段
とを備えることを特徴とする情報提示装置。
【請求項２】  利用者の操作によって、前記円筒状の複数のセルについて、前記表示装置に配置する角度を変化させる角度調整手段
を更に備えることを特徴とする請求項１に記載の情報提示装置。
【請求項３】  番組の識別子である番組ＩＤと、放送局のチャンネル番号と、放送予定日と、放送予定時間帯と、前記番組に関連する情報と、詳細情報と、を記憶する番組情報記憶ステップと、
前記番組の放送局のチャンネル番号、放送予定日および放送予定時間帯に基づいて、前記番組の情報を表示する複数のセルを円筒状に配列するための位置を決定して、前記複数のセルを表示装置に表示する作成ステップと、
前記複数のセルのうちの少なくとも一つのセルに関連する番組の前記詳細情報を、円筒状の前記複数のセルを取り囲むように、当該セルから3次元的に投影したように前記表示装置に表示する投影ステップ
とを備えることを特徴とする情報提示方法。
【請求項４】  利用者の操作によって、前記複数のセルについて、前記表示装置に配置する角度を変化させる角度調整ステップ
を更に備えることを特徴とする請求項３に記載の情報提示方法。
【請求項５】  番組の識別子である番組ＩＤと、放送局のチャンネル番号と、放送予定日と、放送予定時間帯と、前記番組に関連する情報と、詳細情報と、を記憶する番組情報記憶手段と、
前記番組の放送局のチャンネル番号、放送予定日および放送予定時間帯に基づいて、前記番組の情報を表示する複数のセルを円筒状に配列するための位置を決定して、前記複数のセルを表示装置に表示する作成手段と、
前記複数のセルのうちの少なくとも一つのセルに関連する番組の前記詳細情報を、円筒状の前記複数のセルを取り囲むように、当該セルから3次元的に投影したように前記表示装置に表示する投影手段
とをコンピュータに機能させることを特徴とする情報提示プログラム。
【請求項６】  利用者の操作によって、前記円筒状の複数のセルについて、前記表示装置に配置する角度を変化させる角度調整手段
を更に前記コンピュータに機能させることを特徴とする請求項５に記載の情報提示プログラム。
【手続補正２】
【補正対象書類名】明細書
【補正対象項目名】０００８
【補正方法】変更
【補正の内容】
【０００８】
【課題を解決するための手段】
本発明に係る情報提示装置は、情報を表示する表示装置と、番組の識別子である番組ＩＤと、放送局のチャンネル番号と、放送予定日と、放送予定時間帯と、番組に関連する情報と、詳細情報と、を記憶する番組情報記憶手段と、番組の放送局のチャンネル番号、放送予定日および放送予定時間帯に基づいて、番組の情報を表示する複数のセルを円筒状に配列するための位置を決定して、複数のセルを表示装置に表示する作成手段と、複数のセルのうちの少なくとも一つのセルに関連する番組の詳細情報を、円筒状の複数のセルを取り囲むように、当該セルから３次元的に投影したように表示装置に表示する投影手段とを備えることを特徴とするものである。
【手続補正３】
【補正対象書類名】明細書
【補正対象項目名】００１０
【補正方法】変更
【補正の内容】
【００１０】
よって、利用者は仮想空間内に表示された一つの仮想立体物を閲覧、操作することによって、仮想立体物が提示する三次元的な情報を閲覧、操作して、複数の情報を関連付けて直感的に把握することができる。又、複数の情報を一つの仮想立体物に格納してしまうことができるため、情報の提示に必要な面積の省スペース化を図ることができる。更に、投影手段によって投影された詳細情報によって、利用者は、セルに格納された情報に関するより詳細な情報を、視覚的、かつ、直感的に把握することができる。また、情報は、時系列に従っており、複数のセルは、時系列に従って配列されるようにしてもよい。これによれば、時系列に従った情報を複数のセルに格納して、時系列に従って整理することができる。よって、利用者は、時系列に従った複数の情報を把握し易く、操作、閲覧をより容易に行うことができる。
【手続補正４】
【補正対象書類名】明細書
【補正対象項目名】００１１
【補正方法】変更
【補正の内容】
【００１１】
さらに、利用者の操作によって、円筒状の複数のセルについて、表示装置に配置する角度を変化させる角度調整手段を備えても良い。
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】削除
【補正の内容】
【手続補正１１】
【補正対象書類名】明細書
【補正対象項目名】００１８
【補正方法】変更
【補正の内容】
【００１８】
また、本発明に係る情報提示方法は、番組の識別子である番組ＩＤと、放送局のチャンネル番号と、放送予定日と、放送予定時間帯と、番組に関連する情報と、詳細情報と、を記憶する番組情報記憶ステップと、番組の放送局のチャンネル番号、放送予定日および放送予定時間帯に基づいて、番組の情報を表示する複数のセルを円筒状に配列するための位置を決定して、複数のセルを表示装置に表示する作成ステップと、複数のセルのうちの少なくとも一つのセルに関連する番組の詳細情報を、円筒状の複数のセルを取り囲むように、当該セルから3次元的に投影したように表示装置に表示する投影ステップとを備えることを特徴とする。
【手続補正１２】
【補正対象書類名】明細書
【補正対象項目名】００１９
【補正方法】変更
【補正の内容】
【００１９】
さらに、利用者の操作によって、複数のセルについて、表示装置に配置する角度を変化させる角度調整ステップを備えることを特徴とする。
【手続補正１３】
【補正対象書類名】明細書
【補正対象項目名】００２０
【補正方法】変更
【補正の内容】
【００２０】
また、本発明に係る情報提示プログラムは、番組の識別子である番組ＩＤと、放送局のチャンネル番号と、放送予定日と、放送予定時間帯と、番組に関連する情報と、詳細情報と、を記憶する番組情報記憶手段と、番組の放送局のチャンネル番号、放送予定日および放送予定時間帯に基づいて、番組の情報を表示する複数のセルを円筒状に配列するための位置を決定して、複数のセルを表示装置に表示する作成手段と、複数のセルのうちの少なくとも一つのセルに関連する番組の詳細情報を、円筒状の複数のセルを取り囲むように、当該セルから3次元的に投影したように表示装置に表示する投影手段とをコンピュータに機能させることを特徴とする。
【手続補正１４】
【補正対象書類名】明細書
【補正対象項目名】００２１
【補正方法】変更
【補正の内容】
【００２１】
また、利用者の操作によって、円筒状の複数のセルについて、表示装置に配置する角度を変化させる角度調整手段を更にコンピュータに機能させることを特徴とする。
【手続補正１５】
【補正対象書類名】明細書
【補正対象項目名】００２２
【補正方法】削除
【補正の内容】
【手続補正１６】
【補正対象書類名】明細書
【補正対象項目名】００２３
【補正方法】削除
【補正の内容】
【手続補正１７】
【補正対象書類名】明細書
【補正対象項目名】００２４
【補正方法】削除
【補正の内容】